(57)【要約】【課題】フェルト化させた後の羊毛の洗浄及び水切りを容器体に入れたまま行なうことができる使い勝手の良いフェルト球作成具を提供すること。【解決手段】底部６ａ，１６ａが凹球面状に形成された収容部６，１６を備えた容器体５，１５を２個で１組とし、それら収容部６，１６の開口端６ｃ，１６ｃ同士を合わせることによりフェルト球ｆを作成可能な内空間部２が形成されるように設けられ、各収容部６，１６の底部６ａ，１６ａに多数の小穴８，１８を形成し、容器体５に係止突起１０、１０を、容器体１５に係止穴２０、２０を設け、前記開口端６ｃ，１６ｃ同士を合わせて係止突起１０と係止穴２０とを雌雄の関係で嵌合させることにより２個の容器体５，１５が一体化されるように設けた。【選択図】図１
2008266835.tif 000002
【特許請求の範囲】
【請求項１】
底部が凹球面状に形成された収容部を備えた容器体を２個で１組とし、それら収容部の開口端同士を合わせることによりフェルト球を作成可能な内空間部が形成されるように設けられ、各収容部の底部に多数の小穴が形成されていることを特徴とするフェルト球作成具。
【請求項２】
底部が凹球面状に形成された収容部を備えた容器体を２個で１組とし、それら収容部の開口端同士を合わせることによりフェルト球を作成可能な内空間部が形成されるように設けられ、一方の収容部の底部にのみ多数の小穴が形成されていることを特徴とするフェルト球作成具。
【請求項３】
各容器体の所定箇所に雌雄の関係で嵌合させる係合部を夫々設け、前記収容部の開口端同士を合わせて該係合部を嵌合させることにより２個の容器体が一体化されるように設けたことを特徴とする請求項１又は２に記載のフェルト球作成具。
【請求項４】
前記小穴を有する収容部の周囲に、多数の長穴が形成されていることを特徴とする請求項１から３の何れかに記載のフェルト球作成具。
【請求項５】
前記容器体に取っ手を備えたことを特徴とする請求項１から４の何れかに記載のフェルト球作成具。
【発明の詳細な説明】
【技術分野】
【０００１】
本発明は、ほぐした羊毛からフェルト球を作成するための器具に関する。
【背景技術】
【０００２】
手芸等で使用されるフェルト球を手作業で作成するための器具の例として、特許文献１に開示された球状の密閉容器がある。その文献に記載されたフェルト球作成方法は、４工程からなり、第１工程で直径２０ｍｍ程度の発泡スチロール製球体に羊毛を巻きつけ、第２工程で羊毛を巻きつけた球体と、羊毛のキューティクルを開かせる石鹸液などの液体を球状の密閉容器に入れ、第３工程で球体を密閉容器の内面に対して衝突部位を変更しつつ連続的に衝突させることにより、球体に巻きつけられた羊毛に圧力を加えて液体により開いた羊毛のキューティクル同士を絡めさせて羊毛をフェルト化させ、第４工程で密閉容器内から球体を取り出して羊毛を洗浄後、水分を落としてから球体の球面に沿って羊毛を丸めて乾燥させることにより、球体にフェルト化した羊毛を密着させたフェルト球が得られる。
【０００３】
上記フェルト球作成方法では、第４工程で球体を密閉容器に入れたまま洗浄することができないため、密閉容器内から球体を取り出して水道水等で洗い流し、球体を手で絞ったり振ったりして水分を落とさなければならない。このため、不慣れな人であると洗浄の際にフェルトが偏り、水切りを行なう際に形が崩れてしまって綺麗な形のフェルト球を作成することができないという虞がある。
【特許文献１】特開２００４−３３９６５７号公報
【発明の開示】
【発明が解決しようとする課題】
【０００４】
本発明の目的は、フェルト化させた後の羊毛の洗浄及び水切りを容器体に入れたまま行なうことができる使い勝手の良いフェルト球作成具を提供することにある。
【課題を解決するための手段】
【０００５】
前記目的を達成するために請求項１に記載した発明は、底部が凹球面状に形成された収容部に取っ手を備えた容器体を２個で１組とし、それら収容部の開口端同士を合わせることによりフェルト球を作成可能な内空間部が形成されるように設けられ、各収容部の底部に多数の小穴が形成されていることを特徴とする。
【０００６】
同様の目的を達成するために請求項２に記載した発明は、底部が凹球面状に形成された収容部に取っ手を備えた容器体を２個で１組とし、それら収容部の開口端同士を合わせることによりフェルト球を作成可能な内空間部が形成されるように設けられ、一方の収容部の底部にのみ多数の小穴が形成されていることを特徴とする。
【０００７】
同様の目的を達成するために請求項３に記載した発明は、請求項１又は２に記載のフェルト球作成具において、各容器体の所定箇所に雌雄の関係で嵌合させる係合部を夫々設け、前記収容部の開口端同士を合わせて該係合部を嵌合させることにより２個の容器体が一体化されるように設けたことを特徴とするものである。
【０００８】
同様の目的を達成するために請求項４に記載した発明は、請求項１から３の何れかに記載のフェルト球作成具において、前記小穴を有する収容部の周囲に、多数の長穴が形成されていることを特徴とするものである。
【０００９】
同様の目的を達成するために請求項５に記載した発明は、請求項１から４の何れかに記載のフェルト球作成具において、前記容器体に取っ手を備えたことを特徴とするものである。
【発明の効果】
【００１０】
（請求項１の発明）
このフェルト球作成具は、ほぐした羊毛を石鹸液等の液で湿らせた状態で収容部に入れて容器体を適宜振ることによりキューティクル同士を絡めてフェルト球を作成するのであるが、収容部に設けた小穴から液や水分が外へ排出される構造としているため、フェルト化させた後の羊毛の洗浄及び水切り作業を収容部に入れたまま行なうことができ、大変使い勝手が良い。加えて、水切りを行なうまでフェルト化させた羊毛を外に取り出さないので、綺麗な形のフェルト球が得られ易い。
【００１１】
（請求項２の発明）
このフェルト球作成具は、収容部に小穴を設けていない容器体を上側にして振れば、内部から飛び出す液や水分が上方へ飛び散りにくいので手や被服を濡らすことが少なくなる。
【００１２】
（請求項３の発明）
このフェルト球作成具は、収容部の開口端同士を合わせて係合部を嵌合させることにより２個の容器体が一体化されるので、使い勝手が良い。
【００１３】
（請求項４の発明）
このフェルト球作成具は、収容部の周囲に形成された長穴から洗浄液が排出される構造としているため、中のものを取り出すことなく洗浄を行なうことができる。
【００１４】
（請求項５の発明）
このフェルト球作成具は取っ手を備えているので、フェルト化させた後の羊毛の洗浄及び水切り作業が行ない易い。
【発明を実施するための最良の形態】
【００１５】
以下に、本発明の最良の形態例を図面に基づいて説明する。図１は第１実施形態に係るフェルト球作成具の分離斜視図、図２は使用状態におけるフェルト球作成具の断面図、図３は一方の容器体の説明図（イ）及び（ロ）、図４は第２実施形態に係るフェルト球作成具の分離斜視図、図５は第２実施形態に係る容器体の説明図（イ）及び（ロ）である。
【００１６】
（実施形態例１）
本発明に係る第１実施形態のフェルト球作成具１は、図１に示すように、２個のプラスチック製容器体５，１５で１組とされている。一方の容器体５は、図３に示すように、底部６ａが凹球面状に形成された収容部６の周縁６ｂから直線状に延びる取っ手７を一体に設けている。収容部６の底部６ａには多数の小穴８を形成し、収容部６の周囲には開口端６ｃから底部６ａに向かうように延びる多数の長穴９が等間隔に設けられている。１０，１０は収容部６の開口端６ｃ側で取っ手７に所定間隔に設けられた係止突起である。この係止突起１０と後記他方の容器体１５の係止穴２０とは、雌雄の関係で嵌合するように設けた係合部の一例である。
【００１７】
なお、この実施形態例では容器体５に取っ手７を一体に設けているが、別途用意した取っ手を容器体に固定する構造とすることもできる。また、容器体のみで取っ手を設けない構造とすることも可能である。
【００１８】
他方の容器体１５は、図２に示すように、底部１６ａが凹球面状に形成された収容部１６の周縁１６ｂから直線状に延びる取っ手１７を一体に設けている。収容部１６の底部１６ａには多数の小穴１８を形成し、収容部１６の周囲には開口端１６ｃから底部１６ａに向かうように延びる多数の長穴１９が等間隔に設けられている。２０，２０は前記開口端１６ｃ側で取っ手１７に所定間隔に設けられた係止穴である。
【００１９】
しかして、各収容部６，１６の開口端６ｃ，１６ｃ同士を合わせて係止突起１０と係止穴２０とを嵌合させることにより、２個の容器体５，１５を一体化する第１実施形態に係るフェルト球作成具１が構成される。そして、二つの収容部６，１６によりフェルト球ｆを作成可能な内空間部２が形成される。
【００２０】
つぎに、第１実施形態に係るフェルト球作成具１を使用したフェルト球の作り方について説明する。
（１）ほぐした適宜量の羊毛をキューティクルを開かせ易くするための石鹸液等の液体に浸し、これをフェルト球作成具１の収容部６に入れる。
（２）収容部６，１６の開口端６ｃ，１６ｃ同士を合わせて係止突起１０と係止穴２０とを嵌合させることにより２個の容器体５，１５を一体化させる。
（３）フェルト球作成具１を適宜振って内部の羊毛に振動を与えることにより、石鹸液により開いた羊毛のキューティクル同士を絡めさせて羊毛をフェルト化させる。
（４）ついで、フェルト化して丸くなった羊毛をフェルト球作成具１に入れたまま水道水等で洗浄後、再び何度も振って水分を落とす。このときに、収容部６，１６の小穴８，１８や長穴９、１９から水や水分が外へ排出される。
（５）フェルト球作成具１から丸くなった羊毛を取り出し、形を整えつつドライヤー等で適宜乾燥させることによりフェルト球ｆが得られる。
【００２１】
なお、この実施形態例では、球体を用いずにフェルト球を作成しているところ、従来のように球体に羊毛を巻きつけるようにしてフェルト球を作成してもよい。
【００２２】
（実施形態例２）
第２実施形態に係るフェルト球作成具１´は、図４に示すように、前述した第１実施形態のフェルト球作成具１の他方の容器体１５に代えて図５に示す容器体２５を用い、一方の容器体５をそのまま流用した構成としている（請求項２の発明に対応）。
【００２３】
使用時に上側とされる容器体２５は、図５に示すように、天部２６ａが凹球面状に形成された収容部２６の周縁２６ｂから直線状に延びる取っ手２７を一体に設けている。２８，２８は前記係止突起１０に対応するように開口端２６ｃ側で取っ手２７に所定間隔に設けられた係止穴である。
【００２４】
しかして、各収容部６，２６の開口端６ｃ，２６ｃ同士を合わせて係止突起１０と係止穴２８とを嵌合させることにより、２個の容器体５，２５を一体化する第２実施形態に係るフェルト球作成具１´が構成される（図４）。
【００２５】
かかる構成になる第２実施形態のフェルト球作成具１´によれば、容器体２５を上側にして振れば、内部から飛び出す石鹸液や水分が上方へ飛び散りにくいので、第１実施形態のフェルト球作成具１に比べて手や被服を濡らすことが少なくなる。
【００２６】
以上に述べた通り、このフェルト球作成具は、ほぐした羊毛を石鹸液で湿らせた状態で収容部に入れて容器体を適宜振ることによりキューティクル同士を絡めてフェルト球を作成するのであるが、収容部に設けた小穴から液や水分を外へ排出する構造としているため、フェルト化させた後の羊毛の洗浄及び水切りを収容部に入れたまま行なうことができ、綺麗な形のフェルト球が得られる。
【図面の簡単な説明】
【００２７】
【図１】第１実施形態に係るフェルト球作成具の分離斜視図
【図２】使用状態を示すフェルト球作成具の断面図
【図３】一方の容器体の説明図（イ）及び（ロ）
【図４】第２実施形態に係るフェルト球作成具の分離斜視図
【図５】第２実施形態の容器体の説明図（イ）及び（ロ）
【符号の説明】
【００２８】
１・・・フェルト球作成具（第１実施形態）
２・・・内空間部
５，１５・・・容器体
６，１６・・・収容部
６ａ，１６ａ・・・底部
６ｃ，１６ｃ・・・開口端
７，１７・・・取っ手
８，１８・・・小穴
１０・・・係止突起
２０・・・係止穴
ｆ・・・フェルト球
１´・・・フェルト球作成具（第２実施形態）
【図１】
2008266835.tif 000003
【図２】
2008266835.tif 000004
【図３】
2008266835.tif 000005
【図４】
2008266835.tif 000006
【図５】
2008266835.tif 000007